(57)【特許請求の範囲】
【請求項１】
草花や低木などの植物を苗床で成長させてから、目的の場所に移動して定植する方法であって、
凹溝状の容器の底に布状シートを敷き、その上に土壌を入れて植物を挿し木したり種子を蒔いて成長させた後、
前記の凹溝状容器ごと目的の場所に移送してから、前記の布状シートに対し凹溝状容器を水平方向に相対的に引き抜きスライドさせることによって、凹溝状容器を除去し、布状シートと土壌をそのまま一緒に定植位置に残すことを特徴とする移植栽培方法。
【請求項２】
前記の布状シートは、土壌中で腐食性があり、しかも植物の根が突き破れる材質であることを特徴とする請求項１に記載の移植栽培方法。
【請求項３】
前記の布状シートを土壌容器中の土壌部の両側に延長して固定代とし、
定植位置で凹溝状容器を除去した後、布状シート両側の固定代を上側に折り重ねた状態で斜面などの地面にピンなどの固定手段で固定することを特徴とする請求項１または請求項２に記載の移植栽培方法。
【請求項４】
鋏構造のように軸を一対のクロスアームの支点孔に挿通し、それぞれの支点孔から逆方向に延びる片方のアーム部に取っ手手段を設け、他方の保持アーム部は、凹溝状容器の底部外面に挿入できる凹曲部又は凹折曲部を有することを特徴とする凹溝状土壌容器の運搬器具。
【請求項５】
前記の一対の保持アーム部に、凹溝状容器の両側の縁部が入る小凹部を設けてあることを特徴とする請求項４に記載の凹溝状土壌容器の運搬器具。
【請求項６】
請求項４記載の運搬器具を２組以上離して設けて、前記軸を長くした軸棒をそれぞれの前記支点孔に挿通すると共に、それぞれの組の取っ手側アーム部の先端に共通の長くした取っ手棒を取付けてなることを特徴とする請求項４または請求項５に記載の凹溝状土壌容器の運搬器具。
【請求項７】
着脱可能な側壁を両端に有する凹溝状容器の底部に、
土壌中で腐食性があり、かつ植物の根が突き破れる布状シートを敷いて、その上に土壌を入れることで挿し木や種子蒔きを可能とし、
土壌が入ったままの前記布状シートに対し凹溝状容器を相対的に水平方向に引き抜きスライド可能とした構成において、
前記側壁は、前記凹溝状容器と同様な凹溝状部の一端に半円状の側壁部が一体化されており、その凹溝状部の上に、前記凹溝状容器の両端が挿入される構造であることを特徴とする移植用の凹溝状土壌容器。
【発明の詳細な説明】
【技術分野】
【０００１】
本発明は、草花や低木などを苗床で成長させてから、目的の場所に移動して定植する場合に好適な移植栽培方法並びに移植用の装置に関する。
【背景技術】
【０００２】
草花や低木などを苗床で成長させてから、そのまま定植場所に移送して配置し定植する方法として、特開平５−１９５５３５に記載のように、多数の穴の開いた方形のバスケットに土壌を入れて芝生などを植生してなる多数のバスケットを法面に敷きつめて法面を緑化する方法が提案されている。この方法は、切り土や岩盤などの法面を安定的に緑化植生するのに適している。
【０００３】
これに対し、特開２００５−１１０５９０で提案されている「培養土を入れた繊維構造体及び筒状生地に培養土を入れる方法並びにその装置」によると、ビルの屋上、その他適当な場所に植物を生育させる為、ビルに大きな負担がかからず、又施工が簡単な植栽地盤を形成する繊維構造体を提供すべく、編物、織物、又は不織布で構成される筒状生地に培養土を充填して繊維構造体とし、これを渦巻き状に捲いたり、ジグザグ状として植栽地盤を形成し、前記筒状生地に穴を開けて、内部の培養土に植物の苗を植付ける構成が開示されている。
【特許文献１】特開平５−１９５５３５
【特許文献２】特開２００５−１１０５９０
【発明の開示】
【発明が解決しようとする課題】
【０００４】
特許文献１のように、多数の穴の開いたバスケットに土壌を入れて芝生などを植生する方法は、バスケットを定植場所に移送して敷きつめた場合、合成樹脂製のバスケットが半永久に残るため、自然環境保護の観点では好ましくない。
これに対し、特許文献２のように、培養土を入れた繊維構造体及び筒状生地に培養土を入れて植栽地盤とする方法の場合は、繊維構造体及び筒状生地が腐食性の材質であれば、合成樹脂製のように半永久に残存する問題は解消される。しかしながら、草花や低木などの苗床としては使いづらいばかりか、渦巻き状に捲いたり、ジグザグ状にして植栽地盤を形成した状態で移動したり、定植場所に再配置することは極めて困難である。
本発明の技術的課題は、このような問題に着目し、苗床容器中で草花や低木などを成長させてから、苗床容器ごとそのまま定植場所に移送して、現場で容器を除去するだけで容易に能率的に定植可能な移植栽培方法並びに移植用の装置を実現することにある。
【課題を解決するための手段】
【０００５】
本発明の技術的課題は次のような手段によって解決される。請求項１は、草花や低木などの植物を苗床で成長させてから、目的の場所に移動して定植する方法であって、
凹溝状の容器の底に布状シートを敷き、その上に土壌を入れて植物を挿し木したり種子を蒔いて成長させた後、
前記の凹溝状容器ごと目的の場所に移送してから、前記の布状シートに対し凹溝状容器を水平方向に相対的に引き抜きスライドさせることによって、凹溝状容器を除去し、布状シートと土壌を一緒に定植位置に残すことを特徴とする移植栽培方法である。
このように、凹溝状の容器の底に布状シートを敷いてその上に土壌を入れ、目的の植物を挿し木したり種子を蒔いて成長させた後、前記の土壌入れ容器ごと現場に移送して容器を除去し、布状シートと土壌をそのまま一緒に定植位置に残す方法を採っているため、現場で容器を除去するだけで定植状態となるので、極めて簡単な作業で能率的に移植できる。
また、布状シートに対し凹溝状容器を水平方向に相対的に引き抜きスライドするだけで、布状シートに土壌を包んだまま一緒に残すので、土壌容器を抜き去る際に、植物の生えている土壌が崩れる恐れがなく、取り扱いが簡便である。
【０００６】
請求項２は、前記の布状シートは、土壌中で腐食性があり、しかも植物の根が突き破れる材質であることを特徴とする請求項１に記載の移植栽培方法である。
このように、前記の布状シートは、土壌中で腐食性が有り、しかも植物の根が突き破れる材質である。その結果、定植後は、植物の根が布状シートを容易に突き破って、土壌に植えた植物の根が定植後の布状シートに絡みつくので、植物は土壌に強固に定着でき、土壌も崩れにくい。また、布状シートが腐食性で、土壌中に分解し消失するので環境に優しい。したがって、布状シートは、植物性の繊維からなる織布や編布が適している。植物性の繊維なら不織布でもよい。
【０００７】
請求項３は、前記の布状シートを凹溝状容器中の土壌部の両側に延長して固定代とし、定植位置で凹溝状容器を引き抜き除去した後、布状シート両側の固定代を上側に折り重ねた状態で斜面などの地面にピンなどの固定手段で固定することを特徴とする請求項２に記載の移植栽培方法である。このように、前記の布状シートを土壌部の両側に延長して固定代とし、定植位置で凹溝状容器を引き抜き除去した後、布状シート両側の固定代を上側に折り重ねた状態で斜面などの地面にピンなどの固定手段で固定する方法を採っているので、斜面等のように、凹溝状容器を引き抜き除去しただけでは、布状シート中の土壌と植物を安定させかつ確実に定植することが困難な状況であっても、確実にかつ安定的に定植し、根づかせることが可能である。
【０００８】
請求項４は、鋏構造のように軸を一対のクロスアームの支点孔に挿通し、それぞれの支点孔から逆方向に延びる片方のアーム部に取っ手手段を設け、他方の保持アーム部は、凹溝状容器の底部外面に挿入できる凹曲部又は凹折曲部を有することを特徴とする凹溝状土壌容器の運搬器具である。このように、鋏構造のように軸を一対のクロスアームの支点孔に挿通し、それぞれの支点孔から逆方向に延びる片方のアーム部に取っ手手段を設け、他方の保持アーム部は、凹溝状容器の底部外面に挿入できる凹曲部又は凹折曲部を有しているため、この凹曲部又は凹折曲部を凹溝状容器の底部両側に位置決めした状態で、一対の取っ手手段を閉じると、凹溝状土壌容器が一対の凹曲部又は凹折曲部の上に両側から抱き込まれるため、そのまま持ち上げて移動したり、積み込んだりできる。
【０００９】
請求項５は、前記の一対の保持アーム部に、凹溝状容器の両側の縁部が入る小凹部を設けてあることを特徴とする請求項４に記載の凹溝状土壌容器の運搬器具である。このように、前記の一対の保持アーム部に、凹溝状容器の両側の縁部が入る小凹部を設けてあるため、一対の凹曲部又は凹折曲部の上に凹溝状土壌容器を両側から抱き込んだ上に、凹溝状容器の両側の強度の強い縁部が小凹部に入り込んで保持されるため、土壌の入った重い状態の凹溝状容器を強度の強い両縁部と一対の凹曲部又は凹折曲部の両方で保持でき、土壌で重いにも係わらず、確実に持ち上げて安定移動できる。
【００１０】
請求項６は、請求項４記載の運搬器具を２組以上離して設けて、前記軸を長くした軸棒をそれぞれの前記支点孔に挿通すると共に、それぞれの組の取っ手側アーム部の先端に共通の長くした取っ手棒を取付けてなることを特徴とする請求項４または請求項５に記載の凹溝状土壌容器の運搬器具である。凹溝状容器は長いために単一の運搬器具では持ち上げ操作が困難であるが、請求項６のように、請求項４記載の運搬器具を２組以上離して設けて、前記軸を長くした軸棒をそれぞれの前記支点孔に挿通して一体化してあるため、複数組を一緒に操作できる。結局、独立の運搬器具を２組用いて別々に操作し、別々に持ち上げ操作する場合より操作性が向上し、確実かつ容易に持ち上げたり、運搬できる。また、それぞれの組の取っ手側アーム部の先端に共通の長くした取っ手棒を取付けてあるため、共通の長くした取っ手棒を操作し開閉するだけで、２組以上の複数の保持具を同時に一緒に開閉操作できて便利である。
【００１１】
請求項７は、着脱可能な側壁を両端に有する凹溝状容器の底部に、
土壌中で腐食性があり、かつ植物の根が突き破れる布状シートを敷いて、その上に土壌を入れることで挿し木や種子蒔きを可能とし、
土壌が入ったままの前記布状シートに対し凹溝状容器を相対的に水平方向に引き抜きスライド可能とした構成において、
前記側壁は、図１のように、前記凹溝状容器と同様な凹溝状部の一端に半円状の側壁部２、３が一体化されており、その凹溝状部の上に、前記凹溝状容器の両端が挿入される構造であることを特徴とする移植用の凹溝状土壌容器である。
このように、着脱可能な側壁を両端に有する凹溝状容器の底部に、布状シートを敷いてその上に土壌を入れるため、側壁を取付けて両端を閉じた状態で土壌を入れて挿し木したり育苗しておき、定植現場に移送してから、側壁を取り外してオープンにすれば、土壌の入った布状シートを水平方向に引っ張って、凹溝状容器から引きずり出すことができ、定植作業が容易になる。
また、布状シートは土壌中で腐食性があり、土壌中に分解し消失するので、環境に優しい。しかも、植物の根が布状シートを突き破れるので、植物の根が定植後の布状シートに絡みつき、植物は土壌に強固に定着でき、土壌も崩れにくい。
加えて、半円状の側壁２、３は、片方は固定構造も可能であるが、両方とも分離可能にしておくと、任意の側壁２、３を外して、どの方向からでも布状シート４を引き出すことができる。
【発明の効果】
【００１２】
請求項１のように、凹溝状の容器の底に布状シートを敷いてその上に土壌を入れ、目的の植物を挿し木したり種子を蒔いて成長させた後、前記の土壌入れ容器ごと現場に移送して容器を除去し、布状シートと土壌をそのまま一緒に定植位置に残す方法を採っているため、現場で容器を除去するだけで定植状態となるので、極めて簡単な作業で能率的に移植できる。
また、布状シートに対し凹溝状容器を水平方向に相対的に引き抜きスライドするだけで、布状シートに土壌を包んだまま一緒に残すので、土壌容器を抜き去る際に、植物の生えている土壌が崩れる恐れがなく、取り扱いが簡便である。
【００１３】
請求項２のように、前記の布状シートは、土壌中で腐食性が有り、しかも植物の根が突き破れる材質である。その結果、定植後は、植物の根が布状シートを容易に突き破って、土壌に植えた植物の根が定植後の布状シートに絡みつくので、植物は土壌に強固に定着でき、土壌も崩れにくい。また、布状シートが腐食性で、土壌中に分解し消失するので環境に優しい。
【００１４】
請求項３のように、前記の布状シートを土壌部の両側に延長して固定代とし、定植位置で凹溝状容器を引き抜き除去した後、布状シート両側の固定代を上側に折り重ねた状態で斜面などの地面にピンなどの固定手段で固定する方法を採っているので、斜面等のように、凹溝状容器を引き抜き除去しただけでは、布状シート中の土壌と植物を安定させかつ確実に定植することが困難な状況であっても、確実にかつ安定的に定植し、根づかせることが可能である。
【００１５】
請求項４のように、鋏構造のように軸を一対のクロスアームの支点孔に挿通し、それぞれの支点孔から逆方向に延びる片方のアーム部に取っ手手段を設け、他方の保持アーム部は、凹溝状容器の底部外面に挿入できる凹曲部又は凹折曲部を有しているため、この凹曲部又は凹折曲部を凹溝状容器の底部両側に位置決めした状態で、一対の取っ手手段を閉じると、凹溝状土壌容器が一対の凹曲部又は凹折曲部の上に両側から抱き込まれるため、そのまま持ち上げて移動したり、積み込んだりできる。
【００１６】
請求項５のように、前記の一対の保持アーム部に、凹溝状容器の両側の縁部が入る小凹部を設けてあるため、一対の凹曲部又は凹折曲部の上に凹溝状土壌容器を両側から抱き込んだ上に、凹溝状容器の両側の強度の強い縁部が小凹部に入り込んで保持されるため、土壌の入った重い状態の凹溝状容器を強度の強い両縁部と一対の凹曲部又は凹折曲部の両方で保持でき、土壌で重いにも係わらず、確実に持ち上げて安定移動できる。
【００１７】
凹溝状容器は長いために単一の運搬器具では持ち上げ操作が困難であるが、請求項６のように、請求項４記載の運搬器具を２組以上離して設けて、前記軸を長くした軸棒をそれぞれの前記支点孔に挿通して一体化してあるため、複数組を一緒に操作できる。結局、独立の運搬器具を２組用いて別々に操作し、別々に持ち上げ操作する場合より操作性が向上し、確実かつ容易に持ち上げたり、運搬できる。また、それぞれの組の取っ手側アーム部の先端に共通の長くした取っ手棒を取付けてあるため、共通の長くした取っ手棒を操作し開閉するだけで、２組以上の複数の保持具を同時に一緒に開閉操作できて便利である。
【００１８】
請求項７のように、着脱可能な側壁を両端に有する凹溝状容器の底部に、布状シートを敷いてその上に土壌を入れるため、側壁を取付けて両端を閉じた状態で土壌を入れて挿し木したり育苗しておき、定植現場に移送してから、側壁を取り外してオープンにすれば、土壌の入った布状シートを水平方向に引っ張って、凹溝状容器から引きずり出すことができ、定植作業が容易になる。
また、布状シートは土壌中で腐食性があり、土壌中に分解し消失するので、環境に優しい。しかも、植物の根が布状シートを突き破れるので、植物の根が定植後の布状シートに絡みつき、植物は土壌に強固に定着でき、土壌も崩れにくい。
加えて、半円状の側壁２、３は、片方は固定構造も可能であるが、両方とも分離可能にしておくと、任意の側壁２、３を外して、どの方向からでも布状シート４を引き出すことができる。
【発明を実施するための最良の形態】
【００１９】
次に本発明による移植栽培方法並びに移植用の装置が実際上どのように具体化されるか実施形態を説明する。図１は本発明による移植栽培方法における苗の育成方法を示す斜視図である。１は半円筒状をした雨樋状容器で、両端に半円状の側壁２、３を着脱可能になっている。材料は、金属板製でも合成樹脂製でもよく、竹を２分割してもよい。
４は例えば麻布などのような布状シートで、雨樋状容器１の半円筒状の底面より多少大きめの面積が適している。この布状シート４を雨樋状容器１の中に敷いた状態で、その上に土壌５を入れて苗床とし、苗木６を挿し木すると、図２のような状態となり、１〜２週間で根づく。前記のように、布状シート４のサイズは、雨樋状容器１の半円筒状の底面より大きめになっているので、布状シート４の両幅４ａ、４ｂは雨樋状容器１の両縁１ａ、１ｂ又は土壌５から多少はみ出している。両端４ｃ、４ｄも雨樋状容器１の両端側壁２、３から多少はみ出している。
【００２０】
雨樋状容器１中の土壌５に植えた植物６ｐが根づいたら、植物の生えている雨樋状容器１全体を定植場所に移送する。そして、現場で定植位置に雨樋状容器１を配置してから、片方の半円状側壁２を取り外して、布状シート４の一端４ｃを固定したり、手で持った状態で、雨樋状容器１の右端を矢印ａ１方向に引っ張ると、布状シート４と一緒に土壌５を雨樋状容器１から引きずり降ろして残すことができ、植物６ｐの定植が完了する。
定植場所が平坦な場合は、雨樋状容器１を抜き去った後に布状シート４上に土壌５と植物６ｐを残したままで、移植完了となるが、予め地面を凹溝状に掘っておいて、その中に布状シート４を引きずり降ろすと、定植がより確実となる。
【００２１】
一方、法面などのような傾斜地の場合は、土壌５や植物６ｐが崩れ落ちる恐れがあり、確実に定植場所に根づかないことがある。そこで、傾斜地などの不安定な場所に定植する場合は、図３のように、雨樋状容器１の両縁１ａ、１ｂからはみ出している両側の固定代４ａ、４ｂを傾斜地の坂上側に折り重ねた状態で、２枚重ねの×印の位置で釘状のピンなどを打ち込んで固定すると、布状シート４中の土壌５や植物６ｐが根づく前に崩れ落ちるのを防止できる。雑草の多い場所では、予め除草剤を撒くなどの雑草対策をしておくとよい。
【００２２】
雨樋状容器１は下部が半円筒状で、土壌を入れると全体的に半円柱状となり、ねじれたり変形し易いため、運搬には特殊構造の保持具が必要である。図４はシングル構造の保持具の斜視図で、全体的に鋏状の構造になっていて、土壌５の入った雨樋状容器１の下側に潜り込む凹曲面状の腕部12、12’を有している。一対のアーム７、８の中間に設けた、円筒状の支点孔９に軸10を挿通することで、一対のアーム７、８が常時クロスする構造になっている。クロスアーム７、８それぞれの支点孔９から延びる片方のアーム部に取っ手バー11、11’を設けてあり、支点孔９から逆方向に延びる他方のアーム部12、12’は凹曲面が形成されていて、雨樋状容器１の底部に潜り込み易い形状にしてある。
【００２３】
使用に際しては、同様な構造の保持具を２組用いて、雨樋状容器１の前後２か所を持ち上げる。すなわち、図４のように、一対の取っ手バー11、11’を開くと、一対の凹曲面アーム部12、12’が開くので、雨樋状容器１の両外側を下降して地面に位置決めしてから、取っ手バー11、11’を閉じると、鋏の開閉と同様にして、凹曲面アーム部12、12’も閉じる。このとき、一対の凹曲面アーム部12、12’を雨樋状容器１の下側に潜り込ます。こうして、雨樋状容器１の前後２か所に保持具の凹曲面アーム部12、12’を潜り込ませた状態で、それぞれの取っ手バー11、11’を閉じた状態で握って持ち上げると、雨樋状容器１を目的の定植場所に運搬できる。
【００２４】
目的地に着いたら、取っ手バー11、11’の開放操作によって、雨樋状容器１の下部から凹曲面アーム部12、12’を開いて、雨樋状容器１から除去すると、図２の状態になる。図４では、２組の保持具が独立しているのに対し、図５は、２組の保持具における軸棒10と10、取っ手バー11と11、取っ手バー11’と11’をそれぞれ延長して一体化することによってダブル構造にしてある。その結果、２組の保持具における共通の取っ手バー11、11’を開閉することによって、同時に２組の保持具の凹曲面アーム部12、12’を開閉操作できるので、操作性が向上するし、二人で前後を持って運搬することもできる。図８は共通の１本の軸棒10を２組の支点孔９、９から抜いて、２組が一体となった一対のアーム７・７と８・８を分解した状態である。このように分解状態の片方の凹曲面アーム部12又は12’だけでも、雨樋状容器１を運搬可能であるが、安定性に欠ける。なお、３組以上の保持具を一体化する構造も可能である。
【００２５】
一対の凹曲面アーム部12、12’の上部には、雨樋状容器１の両縁部１ａ、１ｂが嵌入する小凹部ｈ、ｈ’を設けてあるため、図６のように凹曲面アーム部12、12’を閉じた際に、雨樋状容器１の両縁部１ａ、１ｂが小凹部ｈ、ｈ’に嵌入することによって、雨樋状容器１の強度の高い縁部１ａ、１ｂを小凹部ｈ、ｈ’で挟持し支持できる。その結果、凹曲面アーム部12、12’で雨樋状容器１の下側から抱き抱えるようにしながら、強度の高い両縁部１ａ、１ｂを小凹部ｈ、ｈ’で支持することによって、土壌が入って重くなった雨樋状容器１をより安定よく保持することが可能となる。
【００２６】
軸棒10を支点にして、一対の凹曲面アーム部12、12’を開閉する操作は、鋏の操作と全く同様であるため、図５のように、取っ手バー11に、鋏と同様に人差し指を挿入する指掛けＦを設けると共に、他方の取っ手バー11’に、親指を挿入する指掛けｆを設けると、開閉操作が楽になる。指掛けＦ、ｆは、環状に閉じた孔でもよいし、図示のようなＵ字状や逆Ｕ字状などのフック形状でも足りる。指掛けＦ、ｆは、図４のような独立タイプの保持具における取っ手バー11、11’に設けると、楽に操作できる。
【００２７】
指掛けＦ、ｆに加えて、又は指掛けＦ、ｆに代えて、図７のように、片手を挿入して手で握れるような、専用の握り取っ手（ハンドル）13、13’を取っ手バー11、11’に設けることもできる。この場合は、図６のように一対の凹曲面アーム部12、12’を閉じた際に、一対の専用の握り取っ手13、13’を一緒に手で握ると、凹曲面アーム部12、12’が不用意に開いて、雨樋状容器１が落下したりするのを確実に防止できる。
【００２８】
雨樋状容器１の長さは、例えば２ｍ程度が適しているが、長さ寸法は任意である。また、布状シート４としては、植物性などのように、土壌の中で腐食しやすい材質の織布や編布が適している。ジュート布なども好適である。
半円状の側壁２、３は、片方は固定構造も可能であるが、両方とも分離可能にしておくと、任意の側壁２、３を外して、どの方向からでも布状シート４を引き出すことができる。なお、側壁２、３無しの構造も可能だが、運搬時に土壌５が溢れる恐れがある。
【００２９】
土壌を入れる容器１は、不安定な半円状の雨樋状に代えて、半円の底面を平坦にした形状や逆台形状などの各種の凹溝状が適用でき、安定性も増す。この場合、側壁２、３は、半円状に代えて、凹溝状の各種断面形状に応じた形状とすることは勿論である。
また、凹溝状容器１を保持する凹曲面状アーム12、12’も、凹溝状土壌容器１の各種断面形状に応じて、下端（先端）が直線状の凹曲面や凹折曲状などの各種形状となる。
【産業上の利用可能性】
【００３０】
以上のように、本発明によると、土壌入れ容器の底に敷いた布状シートの上に土壌を入れて目的の植物を挿し木したり種子を蒔いて成長させてから、土壌入れ容器ごと定植地に移送して、容器を除去すれば、布状シートと土壌と植物をそのまま一緒に一体的に定置し定植することができ、定植作業が極めて容易になり、簡便化される。したがって、雑草を除去した後に、以後の雑草抑えとして草花や草木などを速成栽培したいような場合にも最適である。
【図面の簡単な説明】
【００３１】
【図１】本発明による移植方法における苗の育成方法を順次示す斜視図である。
【図２】雨樋状容器の中で育苗中の状態を示す斜視図である。
【図３】布状シート両側の固定代を傾斜地に折り重ねて固定する状態を示す斜視図である。
【図４】シングル構造の保持具を示す斜視図である。
【図５】２組の保持具における軸棒と一対の取っ手バーをそれぞれ延長して一体化した実施形態の斜視図である。
【図６】図５のダブル構造の保持具で雨樋状容器を保持している状態を示す斜視図である。
【図７】専用の握り取っ手を設けた実施形態の斜視図である。
【図８】軸棒を２組の支点孔から抜いて分解した状態の斜視図である。
【符号の説明】
【００３２】
１  雨樋（凹溝）状の土壌容器
１ａ・１ｂ  縁部
２・３  端部の側壁
４  布状シート
４ａ、４ｂ  布状シート両縁のはみ出し部
５  土壌
６ｐ  植物
７・８  一対のアーム
９  支点孔
10  軸棒
11・11’  取っ手バー
12・12’  凹曲面アーム
ｈ、ｈ’  小凹部
【要約】
【課題】苗床容器中で草花や低木などを成長させてから、苗床容器ごとそのまま定植場所に移送して、現場で容器を除去するだけで容易に能率的に定植可能な移植栽培方法並びに移植用の装置を実現する。              
【解決手段】凹溝状の土壌容器の底に布状シートを敷いてその上に土壌を入れ、目的の植物を挿し木したり種子を蒔いて成長させた後、前記の土壌入れ容器ごと現場に移送して容器を水平方向に引き出して除去し、布状シートと土壌をそのまま一緒に定植位置に残す方法を採っているため、現場で容器を除去するだけで定植状態となるので、極めて簡単な作業で能率的に移植できる。土壌容器の底に布状シートを敷き、その上に土壌を入れて苗床とし、移植時には布状シートは土壌を包んだまま一緒に残すので、土壌容器を取り去る際に、植物の生えている土壌が崩れる恐れがなく、取り扱いが簡便である。
【選択図】図２【図１】
0004171763.tif 000002
【図２】
0004171763.tif 000003
【図３】
0004171763.tif 000004
【図４】
0004171763.tif 000005
【図５】
0004171763.tif 000006
【図６】
0004171763.tif 000007
【図７】
0004171763.tif 000008
【図８】
0004171763.tif 000009